(57)【要約】      （修正有）【課題】ディスクパブリッシャにおいて、セキュリティの高いデータ管理を行う。【解決手段】タイマ４１が、作成済みのディスクを作成済みディスクスタッカ６０に搬送した時点から計時を開始し、内部制御装置４０が、タイマ４１が予め設定した所定の時間を計時したか否かを判断し、所定時間計時の場合には、オートローダ３０で作成済みのディスクを作成済みディスクスタッカ６０からドライブ１０へ搬送して、ドライブ１０にデータの上書き消去処理を行わせる。【選択図】図１
2008071381.tif 000002
【特許請求の範囲】
【請求項１】
ディスクにデータを書き込むためのドライブと、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、ディスクを搬送するためのローダと、
作成済みのディスクを前記作成済みディスクスタッカに搬送した時点から計時を開始するタイマ手段と、
前記タイマ手段が予め設定した所定の時間を計時したか否かを判断し、所定時間計時した場合に、前記ローダに前記作成済みのディスクを前記作成済みディスクスタッカから前記ドライブへ搬送させ、前記ドライブにデータの追記を不能にさせる上書き消去処理を行わせる制御手段と、を有するディスクパブリッシャ。
【請求項２】
前記制御手段は、データ書き込み領域に対するランダムデータの上書きと、ディスクの空き領域に対するランダムデータの書き込みとを行う請求項１記載のディスクパブリッシャ。
【請求項３】
ディスクにデータを書き込むためのドライブと、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、ディスクを搬送するためのローダと、
作成済みのディスクを前記作成済みディスクスタッカに搬送した時点から計時を開始するタイマ手段と、
ディスクに記録したデータをアクセス不能とするための処理を行うデータアクセス不能化処理手段と
前記タイマ手段が予め設定した所定の時間を計時したか否かを判断し、所定時間計時した場合に、前記ローダに前記作成済みのディスクを前記作成済みディスクスタッカから前記データアクセス不能化処理手段へ搬送させ、前記データアクセス不能化処理手段にデータのアクセス不能化処理を行わせる制御手段と、を有するディスクパブリッシャ。
【請求項４】
ディスクにデータを書き込むためのドライブと、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、ディスクを搬送するためのローダと、を備えたディスクパブリッシャのデータ管理方法であって、
作成済みのディスクを前記作成済みディスクスタッカに搬送した時点から計時を開始し、
予め設定した所定の時間を計時したか否かを判断し、
所定時間計時した場合に、前記ローダが前記作成済みのディスクを前記作成済みディスクスタッカから前記ドライブへ搬送し、
データの追記を不能にさせるデータの上書き消去処理を行う、ディスクパブリッシャのデータ管理方法。
【請求項５】
ディスクにデータを書き込むためのドライブと、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、ディスクを搬送するためのローダと、ディスクに記録したデータをアクセス不能とするための処理を行うデータアクセス不能化処理手段と、を備えたディスクパブリッシャのデータ管理方法であって、
作成済みのディスクを前記作成済みディスクスタッカに搬送した時点から計時を開始し、
予め設定した所定の時間を計時したか否かを判断し、
所定時間計時した場合に、前記ローダが前記作成済みのディスクを前記作成済みディスクスタッカから前記データアクセス不能化処理手段へ搬送し、
データのアクセス不能化処理を行う、ディスクパブリッシャのデータ管理方法。
【発明の詳細な説明】
【技術分野】
【０００１】
本発明は、ディスクにデータを書き込み配布するディスクパブリッシャおよびそのデータ管理方法に関する。
【背景技術】
【０００２】
従来、機密データの漏洩等を防止するため、データの外部への出力を外部記録媒体書き込み装置に一元化し、セキュリティの高いデータ管理を実現するシステムや方法が提案されている。その外部記録媒体書き込み装置の一例として、ディスクパブリッシャがある。ディスクパブリッシャは、ユーザーが指定したデータをＣＤやＤＶＤなどのディスクに書き込むもので、データ配布用のディスクの作成、配布と廃棄を把握することによりデータの管理を行うものである。データの書き込みが行われたディスクは、ディスクパブリッシャ内のスタッカに格納され、適切な時期に装置外に排出される。
【０００３】
データの機密保持等を目的として、ＣＤやＤＶＤなどのディスクに保存したデータを所定時間経過後に消去し、データ保持に有効期限を設定する処理方法が開示されている（例えば、特許文献１参照）。特許文献１に開示されたデータストレージユニットでは、ドライブ内のディスクに書き込まれたデータを、上書き処理によって所定時間経過後に消去することができる。
【特許文献１】特開２０００―１４８５９９号公報  第１０頁〜第１９頁  図２
【発明の開示】
【発明が解決しようとする課題】
【０００４】
特許文献１に開示された技術は、ディスクに対して単にデータの消去を行うものであり、データ消去後のディスクに対する追記が可能である。データ配布用のディスクの作成、配布と廃棄を管理するディスクパブリッシャにおいて、データ消去後のディスクがスタッカに在ると、本来廃棄されるべきデータ消去後のディスクに再度、データを書き込んでしまう可能性がある。特に、ディスクのレーベル面に印刷がなされていて消去されたデータと関連付けされている場合、再度データが書き込まれると、印刷とデータの関連が絶たれて誤配布の虞が生じる。
【０００５】
本発明は、ディスクパブリッシャにおいて、データの追記を不能にすることを目的とする。
【課題を解決するための手段】
【０００６】
本発明のディスクパブリッシャは、ディスクにデータを書き込むためのドライブと、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、ディスクを各部へ搬送するためのローダと、作成済みのディスクを前記作成済みディスクスタッカに搬送した時点から計時を開始するタイマ手段と、前記タイマ手段が予め設定した所定の時間を計時したか否かを判断し、所定時間計時の場合には、前記ローダに前記作成済みのディスクを前記作成済みディスクスタッカから前記ドライブへ再び搬送させて、前記ドライブにデータの追記を不能にさせるデータの上書き消去処理を行わせる制御手段とを有する。上書き処理は、データ書き込み領域に対するランダムデータの上書きと、ディスクの空き領域に対するランダムデータの書き込みを行うものである。
【０００７】
本発明のディスクパブリッシャは、ディスクにデータを書き込むためのドライブと、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、ディスクを各部へ搬送するためのローダと、作成済みのディスクを前記作成済みディスクスタッカに搬送した時点から計時を開始するタイマ手段と、ディスクに記録したデータをアクセス不能とするための処理を行うデータアクセス不能化処理手段と、前記タイマ手段が予め設定した所定の時間を計時したか否かを判断し、所定時間計時の場合には、前記ローダに前記作成済みのディスクを前記作成済みディスクスタッカから前記データアクセス不能化処理手段へ搬送させて、前記データアクセス不能化処理手段にデータのアクセス不能化処理を行わせる制御手段とを有する。
【０００８】
本発明のディスクパブリッシャのデータ管理方法は、ディスクにデータを書き込むためのドライブと、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、ディスクを搬送するためのローダと、を備えたディスクパブリッシャのデータ管理方法であって、作成済みのディスクを前記作成済みディスクスタッカに搬送した時点から計時を開始し、予め設定した所定の時間を計時したか否かを判断し、所定時間計時した場合に、前記ローダが前記作成済みのディスクを前記作成済みディスクスタッカから前記ドライブへ搬送し、データの追記を不能にさせるデータの上書き消去処理を行う。
【０００９】
本発明のディスクパブリッシャのデータ管理方法は、ディスクにデータを書き込むためのドライブと、ブランクディスクを蓄積するためのブランクディスクスタッカと、データの書き込みが終了した作成済みディスクを蓄積するための作成済みディスクスタッカと、配布用のディスクを蓄積するためのディスク排出スタッカと、ディスクを搬送するためのローダと、ディスクに記録したデータをアクセス不能とするための処理を行うデータアクセス不能化処理手段と、を備えたディスクパブリッシャのデータ管理方法であって、作成済みのディスクを前記作成済みディスクスタッカに搬送した時点から計時を開始し、予め設定した所定の時間を計時したか否かを判断し、所定時間計時した場合に、前記ローダが前記作成済みのディスクを前記作成済みディスクスタッカから前記データアクセス不能化処理手段へ搬送し、データのアクセス不能化処理を行う。
【００１０】
上記構成によれば、作成済みディスクがスタッカに搬送された時点を起点として計時するタイマが予め設定した所定の時間を計時したか否かを判断して、所定時間を超過した場合には、作成済みディスクスタッカに蓄積されている該当するディスクをオートローダで搬出し、データの追記を不能にさせる上書き処理又はデータへのアクセス不能化処理を行わせることにより、使用済みデータの追記を不能にさせることができる。
【発明を実施するための最良の形態】
【００１１】
図１は本発明の実施の形態１におけるディスクパブリッシャを示す概略構成図である。ディスクパブリッシャ１００は、主に、ドライブ１０、プリンタトレイ２０、オートローダ３０、内部制御装置４０、ブランクディスクスタッカ５０、作成済みディスクスタッカ６０、ディスク排出スタッカ７０、などで構成される。また、ディスクパブリッシャ１００は、ネットワーク２００を介して、運用者用パーソナルコンピュータ（ＰＣ）３００や作成者用パーソナルコンピュータ（ＰＣ）３１０などに接続する。
【００１２】
ドライブ１０は、データの書き込み動作またはデータの上書きによる消去動作を行う。プリンタトレイ２０は、ディスクのレーベル面に印刷処理を行うプリンタ（図示省略）にディスクを供給するためのトレイであり、データの書き込みが終了したディスクは、オートローダ３０によりこのプリンタトレイ２０に搬送される。印刷処理が終了したディスクは、オートローダ３０により後述する各種スタッカへ搬送される。オートローダ３０は、ディスクパブリッシャ１００内の各部にディスクを搬送するための搬送装置であり、上下動や回転の各動作によりディスクの取得、搬送、載置を行う。
【００１３】
内部制御装置４０は、ディスクパブリッシャ１００の動作全般を統括制御する制御部であり、ディスクパブリッシャ１００内に予め設定された制御プログラムや運用者ＰＣ３００からの指示などに基づいて、ディスクの作成、配布動作などを実行する。内部制御装置４０は、計時手段としてのタイマ４１を含む。タイマ４１は、作成済みディスクの有効期限を計時する。
【００１４】
ブランクディスクスタッカ５０は、データの書き込みを行うためのブランクディスクを供給、蓄積するスタッカで、ブランクディスク５１はオートローダ３０によってドライブ１０へ搬送される。作成済みディスクスタッカ６０は、ドライブ１０でデータの書き込みが行われたディスクを一時的に蓄積するためのスタッカで、作成済みのディスク６１はこのスタッカで所定時間格納され、その後、後述するディスク排出スタッカ７０へ排出される。ディスク排出スタッカ７０は、作成済みディスクまたは上書き消去処理済みディスク７１をユーザーに配布するためのスタッカである。ディスク排出スタッカ７０には、ドライブ１０から作成済みまたは消去済みのディスクが直接搬送されたり、前述の作成済みディスクスタッカ６０で一時蓄積された作成済みのディスクが搬送されたりする。
【００１５】
運用者用ＰＣ３００は、ディスクパブリッシャ１００への各種設定などを遠隔から行うための端末である。尚、各種設定は、設定の重要度に応じて、権限を有する運用者のみが行えるような構成とすることが好ましい。一方、作成者用ＰＣ３１０は、配布するディスクの作成指示を行う端末である。ディスクの作成者に対しても所定の認証等を行ってデータの外部出力が厳重に管理されることが好ましい。
【００１６】
図２は本発明の実施の形態１におけるディスクパブリッシャのディスク作成およびデータ消去処理の動作手順を示すフローチャートである。ディスクパブリッシャの運用者は、運用者用ＰＣ３００などを介して、ディスクパブリッシャ１００に対して、作成済みディスクを自動的に消去（廃棄）するまでの時間、即ち、データ保持の有効期限の設定を行う（ステップＳ１０１）。
【００１７】
ディスクの作成者は、作成者用ＰＣ３１０などを介して、ディスクの作成を命令する（ステップＳ１０２）。命令はディスクパブリッシャ１００の内部制御装置４０に伝送され、内部制御装置４０の制御により、オートローダ３０がブランクディスクスタッカ５０にスタックされたブランクディスクをピックアップし（ステップＳ１０３）、ドライブ１０に搬送、挿入する（ステップＳ１０４）。
【００１８】
ドライブ１０がデータの書き込みを開始する（ステップＳ１０５）。書き込みが完了した作成済みディスクは、ドライブ１０から取り出され（ステップＳ１０６）、オートローダ３０によりプリンタトレイ２０へ搬送されてレーベル面に印刷がなされた後に、再びオートローダ３０により作成済みディスクスタッカ６０へ搬送、格納される（ステップＳ１０７）。
【００１９】
内部制御装置４０は、作成済みディスクがスタッカへ格納された時点で内部にあるタイマ４１の計時を開始し（ステップＳ１０８）、タイマ４１の計時がステップＳ１０１で予め設定した時間を超過したか否かを随時判断する（ステップＳ１０９）。設定時間を超過した場合、内部制御装置４０の制御により、オートローダ３０が作成済みディスクスタッカ６０に格納されている該当するディスクを取り出す（ステップＳ１１０）。
【００２０】
オートローダ３０が、取り出したディスクをドライブ１０に搬送、挿入すると（ステップＳ１１１）、ドライブ１０でデータの追記を不能にさせるデータの上書き消去処理を行う（ステップＳ１１２）。上書き処理は、例えば、データ書き込み領域に対するランダムデータの上書きと、ディスクの空き領域に対するランダムデータの書き込みを行うものである。処理後のディスクは、同様にオートローダ３０によりディスク排出スタッカ７０へ搬送される（ステップＳ１１３）。
【００２１】
図３は本発明の実施の形態２におけるディスクパブリッシャを示す概略構成図である。実施の形態１のディスクパブリッシャ１００と比較して、ディスクパブリッシャ１１０は、データアクセス不能化処理部８０が追加された構成となっている。その他の構成については、実施の形態１のディスクパブリッシャと同じであるため、説明を省略する。
【００２２】
データアクセス不能化処理部８０は、ディスクの記録済みのデータに対してアクセス不能とするための処理を行うもので、その処理は、例えば、ディスクに機械的な損傷（例えば、パンチ穴など）を加えたり、データを揮発させるための光線を照射したりするものである。但し、記録済みのデータをアクセス不能とするような処理であれば、上記の処理にとらわれるものではなく、どのような処理を行ってもかまわない。
【００２３】
内部制御装置４０は、計時手段としてのタイマ４１を含み、所定時間を計時した際に、データアクセス不能化処理部８０にデータアクセス不能化処理を実行させる。
【００２４】
図４は本発明の実施の形態２におけるディスクパブリッシャのディスク作成およびデータアクセス不能化処理の動作手順を示すフローチャートである。ステップＳ２０１からステップＳ２１０までの手順は、実施の形態１における図２のフローチャートのステップＳ１０１からステップＳ１１０までの手順と同じであるため、説明を省略する。
【００２５】
オートローダ３０が、取り出したディスクをデータアクセス不能化処理部８０に搬送、挿入すると（ステップＳ２１１）、データアクセス不能化処理部８０がデータのアクセス不能化処理を行う（ステップＳ２１２）。処理後のディスクは、オートローダ３０によりディスク排出スタッカ７０へ搬送される（ステップＳ２１３）。
【００２６】
以上の実施の形態では、所定の時間が計時されると該当するディスクにデータ上書き消去処理やアクセス不能化処理が施されていたが、データの書き込み失敗ディスクのみに当該処理を施すようにしてもよい。
【図面の簡単な説明】
【００２７】
【図１】本発明の実施の形態１におけるディスクパブリッシャを示す概略構成図
【図２】本発明の実施の形態１におけるディスクパブリッシャのディスク作成およびデータ消去処理の動作手順を示すフローチャート
【図３】本発明の実施の形態２におけるディスクパブリッシャを示す概略構成図
【図４】本発明の実施の形態２におけるディスクパブリッシャのディスク作成およびデータアクセス不能化処理の動作手順を示すフローチャート
【符号の説明】
【００２８】
１０：ドライブ、２０：プリンタトレイ、３０：オートローダ、４０：内部制御装置、５０：ブランクディスクスタッカ、６０：作成済みディスクスタッカ、７０：ディスク排出スタッカ、８０：データアクセス不能化処理部、１００，１１０：ディスクパブリッシャ、２００：ネットワーク、３００：運用者用ＰＣ、３１０：作成者用ＰＣ
【図１】
2008071381.tif 000003
【図２】
2008071381.tif 000004
【図３】
2008071381.tif 000005
【図４】
2008071381.tif 000006